(57)【要約】【課題】排水時における排水管の振動が住居内に伝わり難いようにする。【解決手段】本発明に係る被覆部材は、集合住宅の各階を仕切るコンクリートスラブの貫通孔に通される排水管を覆える構成の被覆部材１０であって、耐火性で、かつ弾力性を有しており、排水管と貫通孔の埋め戻し用モルタルとの間に挟まれて、排水管と埋め戻し用モルタルとを非接触状態に保持できるように構成されている。このため、排水時における排水管の振動が被覆部材に吸収され、その振動が大幅に減衰されて埋め戻し用モルタル、コンクリートスラブを介して住居内に伝わり難くなる。【選択図】      図１
2004169324.tif 000002
【特許請求の範囲】
【請求項１】
集合住宅の各階を仕切るコンクリートスラブの貫通孔に通される排水管を覆える構成の被覆部材であって、
耐火性で、かつ弾力性を有しており、前記排水管と前記貫通孔の埋め戻し用モルタルとの間に挟まれて、前記排水管と前記埋め戻し用モルタルとを非接触状態に保持できるように構成されていることを特徴とする被覆部材。
【請求項２】
請求項１に記載された被覆部材であって、
埋め戻し用モルタルの水分を吸収し難いように表面が防水処理されていることを特徴とする被覆部材。
【請求項３】
請求項１又は請求項２のいずれかに記載された被覆部材であって、
コンクリートスラブに固定される排水管用支持部材と排水管との間に挟まれて、前記排水管用支持部材と前記排水管とを非接触状態に保持できるように構成されていることを特徴とする被覆部材。
【請求項４】
請求項１〜請求項３のいずれかに記載された被覆部材であって、
排水管継手の横枝管用受け口を覆えるように構成されており、その横枝管用受け口とコンクリートスラブの上面との間に挟まれる受け口被覆部と、
前記排水管継手の胴部を覆えるように構成されており、その胴部と埋め戻し用モルタルとの間に挟まれる筒状被覆部と、
を有することを特徴とする被覆部材。
【請求項５】
請求項４に記載された被覆部材であって、
受け口被覆部を複数備えていることを特徴とする被覆部材。
【請求項６】
請求項４又は請求項５のいずれかに記載された被覆部材であって、
排水管用支持部材によってコンクリートスラブの貫通孔から突出した上部受け口が支持される構造の排水管継手を覆う筒状被覆部は、その軸長寸法が前記貫通孔の長さ寸法よりも大きく設定されていることを特徴とする被覆部材。
【請求項７】
請求項４又は請求項５又は請求項６のいずれかに記載された被覆部材であって、
受け口被覆部は、筒状被覆部の上端部を排水管継手の横枝管用受け口に下方から当接させ、その上端部を受け皿状に変形させることにより形成されていることを特徴とする被覆部材。
【請求項８】
請求項１〜請求項３のいずれかに記載された被覆部材であって、
排水立て管の上部受け口を覆えるように構成されており、その上部受け口と、貫通孔の埋め戻し用モルタルとの間に挟まれる受け口被覆部を有することを特徴とする被覆部材。
【請求項９】
請求項７に記載された被覆部材であって、
受け口被覆部は、排水立て管の上部受け口を覆った状態で、その先端部が前記上部受け口の先端面に対して突出する構成であることを特徴とする被覆部材。
【請求項１０】
請求項８に記載された被覆部材であって、
上部受け口の先端面に対して突出した受け口被覆部の先端部の内側には、前記上部受け口に接続される排水管継手を覆う筒状被覆部が嵌合されていることを特徴とする被覆部材。
【発明の詳細な説明】
【０００１】
【発明の属する技術分野】
本発明は、集合住宅の各階を仕切るコンクリートスラブの貫通孔に通される排水管を覆える構成の被覆部材に関する。
【０００２】
【従来の技術】
従来は、図１２に示すように、集合住宅の各階を仕切るコンクリートスラブＣＳの貫通孔ＣＨに排水管９０（図１２では排水管継手９０）を通した後、建物の延焼防止対策及び排水管継手９０の支持のため、前記貫通孔ＣＨをモルタルＭで埋め戻すようにしている。
【０００３】
【特許文献１】
特開平１０−１４１５４４号公報
特開２０００−２０４６１６号公報
特開２００１−３４８９２６号公報
【０００４】
【発明が解決しようとする課題】
しかし、モルタルＭが直接的に排水管継手９０の外周面に接触すると、固化したモルタルＭを介して排水時における排水管継手９０の振動がコンクリートスラブＣＳに伝わるようになる。この結果、コンクリートスラブＣＳを介して住居内にまで排水時の振動が伝わり、快適な生活が損なわれる。
本発明は、上記した問題点に鑑みてなされたものであり、本発明が解決しようとする課題は、排水時における排水管の振動が住居内まで伝わり難いようにすることである。
【０００５】
【課題を解決するための手段】
上記した課題は、各請求項の発明によって解決される。
請求項１の発明は、集合住宅の各階を仕切るコンクリートスラブの貫通孔に通される排水管を覆える構成の被覆部材であって、耐火性で、かつ弾力性を有しており、前記排水管と前記貫通孔の埋め戻し用モルタルとの間に挟まれて、前記排水管と前記埋め戻し用モルタルとを非接触状態に保持できるように構成されていることを特徴とする。
【０００６】
本発明によると、被覆部材は弾力性を有しており、貫通孔の埋め戻し用モルタルと排水管との間に挟まれて、前記埋め戻し用モルタルと前記排水管とを非接触状態に保持する。このため、排水時における排水管の振動が被覆部材に吸収され、その振動が大幅に減衰して埋め戻し用モルタル、コンクリートスラブを介して住居内に伝わり難くなる。
また、被覆部材は耐火性を有しているため、排水管と埋め戻し用モルタルとの間に被覆部材が介在していても、建物の延焼防止性能が低下することはない。
ここで、排水管には、排水立て管、排水横枝管のみならず排水管継手等も含むものとする。
【０００７】
また、請求項２に示す被覆部材は、埋め戻し用モルタルの水分を吸収し難いように防水処理されている。このため、被覆部材が埋め戻し用モルタルの水分を吸うことで、その被覆部材の弾力性が低下する等の不具合が生じない。
また、請求項３に示す被覆部材は、コンクリートスラブに固定される排水管用支持部材と排水管との間に挟まれて、前記排水管用支持部材と前記排水管とを非接触状態に保持できるように構成されている。このため、排水管の振動が排水管用支持部材を介してコンクリートスラブに伝わり難くなる。
【０００８】
また、請求項４の被覆部材は、排水管継手の横枝管用受け口を覆えるように構成されており、その横枝管用受け口とコンクリートスラブの上面との間に挟まれる受け口被覆部と、前記排水管継手の胴部を覆えるように構成されており、その胴部と埋め戻し用モルタルとの間に挟まれる筒状被覆部とを有することを特徴とする。このように、被覆部材が受け口被覆部を有しているため、排水管継手の横枝管用受け口がコンクリートスラブの上面に接触することがない。このため、排水管継手の振動が横枝管用受け口からコンクリートスラブに伝わり難くなる。
ここで、請求項５に示すように、被覆部材の受け口被覆部を複数設けることも可能である。
また、請求項６の被覆部材の筒状被覆部は、排水管用支持部材によってコンクリートスラブの貫通孔から突出した上部受け口が支持される構造の排水管継手を覆えるように構成されており、その軸長寸法が前記貫通孔の長さ寸法よりも大きく設定されている。このため、貫通孔を全てモルタルで埋め戻すことが可能になる。さらに、排水管用支持部材は、貫通孔から突出した排水管継手の上部受け口を支持する構造のため、その排水管用支持部材を部分的に貫通孔の内側に埋め込む必要がない。
【０００９】
また、請求項７に示すように、筒状被覆部の上端部を排水管継手の横枝管用受け口に下方から当接させ、その上端部を受け皿状に変形させることにより、受け口被覆部を形成するのがコスト的に好ましい。
また、請求項８の被覆部材は、排水立て管の上部受け口を覆える構成で、その上部受け口と、貫通孔の埋め戻し用モルタルとの間に挟まれる受け口被覆部を有している。このため、排水時における排水立て管の振動を被覆部材で効率的に吸収できるようになる。
また、請求項９では、受け口被覆部は、排水立て管の上部受け口を覆った状態で、その先端部が前記上部受け口の先端面に対して突出する構成である。このため、排水立て管の上部受け口の先端面をコンクリートスラブの上面に合わせた状態で、受け口被覆部の先端部がコンクリートスラブの上面から突出するようになる。これによって、貫通孔埋め戻し用モルタルを貫通孔に詰め込む際、受け口被覆部の上端部が堤防になって、そのモルタルの詰め込み作業が容易になる。
また、請求項１０に示すように、上部受け口の先端面に対して突出した受け口被覆部の先端部の内側に、上部受け口に接続される排水管継手を覆う筒状被覆部を嵌合させることも可能である。
【００１０】
【発明の実施の形態】
［実施形態１］
以下、図１から図６に基づいて本発明の実施形態１に係る被覆部材の説明を行う。本実施形態に係る被覆部材は、マンション等の集合住宅における排水設備を構成する排水管継手に使用される被覆部材であり、図１に全体斜視図が示されている。また、図２は排水管継手の支持バンドの斜視図、図３は被覆部材及び支持バンドを排水管継手に装着した状態を表す側面図、図４〜図６はコンクリートスラブの貫通孔に排水管継手等をセットした状態を表す側面図、背面図及び正面図である。
【００１１】
集合住宅における排水設備は、各々の家庭から排出される排水をまとめて排水桝等（図示されていない）まで導くための設備であり、その集合住宅の各階を仕切るコンクリートスラブＣＳの貫通孔ＣＨに通される排水管継手１（図３〜図６参照）と、その排水管継手１の上部受け口１ｕ及び下部直管１ｄが接続される排水立て管２と、その排水管継手１の横枝管用受け口１ｓに接続される排水横枝管３とから構成されている。
【００１２】
被覆部材１０は、排水時における排水管継手１等の振動がコンクリートスラブＣＳに伝播しないようにするためのカバーであり、図１に示すように、略円筒形の筒状被覆部１２と、半円筒形の受け口被覆部１４とから構成されている。
被覆部材１０の筒状被覆部１２は、図３に示すように、排水管継手１の胴部１ｂのほぼ中央を覆えるように、その胴部１ｂの外径寸法とほぼ等しい内径寸法を備えている。
被覆部材１０の受け口被覆部１４は、筒状被覆部１２の上端部から横方向に突出しており、排水管継手１の横枝管用受け口１ｓの下半分を覆えるように、その横枝管用受け口１ｓの外形寸法とほぼ等しい内径寸法を備えている。
【００１３】
被覆部材１０は、例えば、セラミック系の耐火繊維等によって弾力性を有する状態で成形されており、その表面には水を弾く塗料が塗布されている。なお、塗料の代わりに薄い防水フィルムを貼ることも可能である。
被覆部材１０は、図３に示すように、排水管継手１の胴部１ｂ中央と横枝管用受け口１ｓの下半分とを覆った状態で、その被覆部材１０の筒状被覆部１２が支持バンド２０によって周囲から締付けられる。これによって、被覆部材１０と支持バンド２０とが排水管継手１の胴部１ｂに固定される。
【００１４】
支持バンド２０は、被覆部材１０を排水管継手１に固定するとともに、その排水管継手１をコンクリートスラブＣＳに取付けるためのバンドであり、図２に示すように、略半円弧形に成形された帯板状のバンド片２２を備えている。バンド片２２は二個一組で使用され、その一端にヒンジ部２２ｈが形成されている。そして、両バンド片２２のヒンジ部２２ｈが互いに係合することによって、各々のバンド片２２は互いに回動可能な状態で連結される。また、各々のバンド片２２の他端には半径方向外側に折り曲げられた角形の受け板部２２ｘが設けられており、各々の受け板部２２ｘにボルト孔（図示されていない）が形成されている。
【００１５】
上記構成により、各々の受け板部２２ｘのボルト孔にボルト２３が通され、そのボルト２３にナット２４が螺合されることにより、各々の受け板部２２ｘが連結されて、両バンド片２２はリング状に保持される。ここで、リング状に保持された各バンド片２２の内径寸法は、被覆部材１０の筒状被覆部１２の外径寸法よりも若干小さく設定されている。このため、被覆部材１０の筒状被覆部１２を支持バンド２０の両バンド片２２によって周囲から締付けることが可能になる。
【００１６】
また、各々のバンド片２２のほぼ中央外側には、各々のバンド片２２をコンクリートスラブＣＳに固定するための、サポート２６が形成されている。サポート２６は、バンド片２２に固定される縦板２６ｔと、コンクリートスラブＣＳの上面に掛けられる水平張り出し部分２６ｓとによって側面略Ｌ字形に成形されている。ここで、水平張り出し部分２６ｓにはボルト孔２６ｈが形成されている。
即ち、支持バンド２０が本発明の排水管用支持部材に相当する。
【００１７】
次に、集合住宅の各階を仕切るコンクリートスラブＣＳの貫通孔ＣＨの位置に排水管継手１を設置する手順を説明する。なお、排水管継手１を設置する前に、下階の排水立て管２（図４〜図６参照）は既に配管済みである。
先ず、排水管継手１の胴部１ｂが被覆部材１０の筒状被覆部１２によって覆われるとともに、その排水管継手１の横枝管用受け口１ｓの下半分が被覆部材１０の受け口被覆部１４によって覆われる。次に、被覆部材１０の筒状被覆部１２の周囲に支持バンド２０の両バンド片２２がセットされ、それらのバンド片２２の受け板部２２ｘがボルト２３及びナット２４によって連結される。これによって、被覆部材１０の筒状被覆部１２が支持バンド２０によって周囲から締付けられ、その被覆部材１０と支持バンド２０とが排水管継手１の胴部１ｂに固定される。
【００１８】
次に、コンクリートスラブＣＳの上面にアンカー孔が空けられ、そのアンカー孔にホールインアンカ（図示されていない）がセットされる。ここで、アンカー孔は、支持バンド２０のサポート２６に形成されたボルト孔２６ｈに対応する位置に空けられる。
【００１９】
次に、排水管継手１の下部直管１ｄが排水立て管２の上部受け口２ｕに挿入されるように、その排水管継手１の胴部１ｂ及び下部直管１ｄがコンクリートスラブＣＳの貫通孔ＣＨに挿通される。そして、図５、図６に示すように、支持バンド２０のサポート２６がコンクリートスラブＣＳの上面に掛けられる。この状態で、図４に示すように、被覆部材１０の受け口被覆部１４がコンクリートスラブＣＳの上面に当接するようになる。
【００２０】
次に、支持バンド２０のサポート２６のボルト孔２６ｈがホールインアンカに合わせられ、そのホールインアンカにボルト２６ｘが螺合させられることで、支持バンド２０及び排水管継手１がコンクリートスラブＣＳに固定される。次に、排水管継手１の横枝管用受け口１ｓに排水横枝管３が挿入接続され、その排水管継手１の上部受け口１ｕに上階の排水立て管２の下端部が挿入接続される。
【００２１】
このようにして配管工事が終了した後、コンクリートスラブＣＳの貫通孔ＣＨの下側が閉鎖板Ｂによって塞がれる。閉鎖板Ｂは、中央に排水管継手１の下部直管１ｄが通される開口と、その開口から閉鎖板Ｂの端縁まで形成された切込みとを備えており、排水管継手１と排水立て管２とが接続された後で、貫通孔ＣＨの下側を閉鎖できるように構成されている。閉鎖板Ｂは、例えば、アルミ製の薄板を接着剤等でコンクリートスラブＣＳの下面に貼り付ける構成が好ましい。
【００２２】
次に、コンクリートスラブＣＳの貫通孔ＣＨに上側からロックウールＲが詰め込まれる。この状態で、排水管継手１の周囲は、支持バンド２０のバンド片２２よりも下側がロックウールＲによって覆われる。さらに、そのロックウールＲの上に埋め戻し用モルタルＭが詰め込まれて貫通孔ＣＨが塞がれる。このように、埋め戻しモルタルＭが貫通孔ＣＨに詰め込まれた段階で排水管継手１の設置が終了する。なお、排水管継手１に対する排水横枝管３の接続及び排水管継手１に対する上階の排水立て管２の接続を貫通孔ＣＨの閉鎖後（排水管継手１の設置後）に行っても良い。
【００２３】
上記したように、本実施形態において使用される被覆部材１０は弾力性を有しており、埋め戻し用モルタルＭと排水管継手１との間に挟まれて、埋め戻し用モルタルＭと排水管継手１とを非接触状態に保持する。このため、排水時における排水管継手１等の振動が被覆部材１０で吸収されて、その振動が大幅に減衰され、埋め戻し用モルタルＭ、コンクリートスラブＣＳを介して住居内に伝わり難くなる。また、被覆部材１０は耐火性を有しているため、貫通孔埋め戻し用モルタルＭと排水管継手１との間に被覆部材１０が介在されていても、建物の延焼防止性能が低下することはない。
【００２４】
また、被覆部材１０の表面には水を弾く塗料が塗布されているため、被覆部材１０が埋め戻し用モルタルＭの水分を吸うことがなく、モルタルを含む水分で被覆部材１０の弾力性が低下する等の不具合が生じない。
また、被覆部材１０は、支持バンド２０と排水管継手１との間に挟むことができるように構成されているため、排水管継手１の振動が支持バンド２０を介してコンクリートスラブＣＳに伝わることもない。
【００２５】
また、被覆部材１０は、受け口被覆部１４を備えているため、排水管継手１の横枝管用受け口１ｓがコンクリートスラブＣＳの上面に接触することがない。このため、排水管継手１の振動が横枝管用受け口１ｓからコンクリートスラブＣＳに伝わることもない。
【００２６】
［実施形態２］
以下、図７に基づいて本発明の実施形態２に係る被覆部材の説明を行う。本実施形態に係る被覆部材は排水設備を構成する排水立て管に使用される被覆部材であり、図７にその被覆部材の縦断面図及びコンクリートスラブの貫通孔に排水立て管を設置した状態を表す側面図が示されている。
【００２７】
本実施形態に係る被覆部材３０は、排水時における排水立て管２の振動がコンクリートスラブＣＳに伝わらないようにするカバーであり、排水立て管２の上部受け口２ｕを覆えるように形成されている。即ち、被覆部材３０は、上部受け口２ｕの先端大径部２ｘを覆う先端被覆部３２と、上部受け口２ｕの本体部２ｍを覆う本体被覆部３４とを備えており、先端被覆部３２と本体被覆部３４との間に段差部３６が設けられている。
【００２８】
ここで、被覆部材３０の先端被覆部３２の軸長は、上部受け口２ｕの先端大径部２ｘの軸長よりも長く設定されている。このため、被覆部材３０の先端被覆部３２の先端部は図に示すように上部受け口２ｕの先端面から所定寸法だけ突出するようになる。
また、被覆部材３０の本体被覆部３４の軸長は、上部受け口２ｕの本体部２ｍの軸長よりも長く設定されている。このため、被覆部材３０の本体被覆部３４の基端部は排水立て管２の直管部２ｓ側に突出可能になる。
ここで、被覆部材３０の本体被覆部３４によって、コンクリートスラブＣＳの貫通孔ＣＨ内に位置する排水立て管２の直管部２ｓを全て覆うように構成することも可能である。このようにすれば、コンクリートスラブＣＳの貫通孔ＣＨの全体をモルタルＭで埋め戻すことが可能になる。
即ち、被覆部材３０の先端被覆部３２及び本体被覆部３４が本発明の受け口被覆部に相当する。
【００２９】
被覆部材３０は、排水立て管２の上部受け口２ｕを覆った状態で、その本体被覆部３４が支持バンド２０によって締付けられることにより、排水立て管２に固定される。
なお、支持バンド２０は、実施形態１で説明した支持バンド２０と同じ構成のため、説明を省略する。
【００３０】
次に、コンクリートスラブＣＳの貫通孔ＣＨの位置に排水立て管２を設置する手順を説明する。なお、排水立て管２を設置する前に、下階の排水管継手（図示されていない）は既に設置済みである。
先ず、排水立て管２の上部受け口２ｕが被覆部材３０で覆われた状態で、その被覆部材３０の本体被覆部３４が支持バンド２０によって周囲から締められる。これによって、被覆部材３０と支持バンド２０とが排水立て管継手２の上部受け口２ｕに固定される。
【００３１】
次に、コンクリートスラブＣＳの上面にアンカー孔が空けられ、そのアンカー孔にホールインアンカ（図示されていない）がセットされる。ここで、アンカー孔は支持バンド２０のサポート２６のボルト孔２６ｈに対応する位置に空けられる。
【００３２】
次に、排水立て管２がコンクリートスラブＣＳの貫通孔ＣＨに通され、その排水立て管２の下端部が下階の排水管継手の上部受け口に挿入される。そして、排水立て管２の上部受け口２ｕの先端面がコンクリートスラブＣＳの上面に合わせられた状態で、支持バンド２０のサポート２６がコンクリートスラブＣＳの上面に掛けられる。ここで、排水立て管２の上部受け口２ｕの先端面がコンクリートスラブＣＳの上面に合わせられるため、被覆部材３０の先端部がコンクリートスラブＣＳの上面から突出するようになる。次に、支持バンド２０のサポート２６のボルト孔がホールインアンカに合わせられ、そのホールインアンカにボルト２６ｘが螺合させられることで、支持バンド２０、被覆部材３０及び排水立て管２がコンクリートスラブＣＳに固定される。
【００３３】
次に、コンクリートスラブＣＳの貫通孔ＣＨの下側が閉鎖板Ｂによって塞がれ、その貫通孔ＣＨに対して上側からロックウールＲが詰め込まれる。この状態で、排水立て管２の周囲は、支持バンド２０のバンド片２２ｈよりも下側がロックウールＲによって覆われる。さらに、ロックウールＲの上に埋め戻しモルタルＭが詰め込まれて、貫通孔ＣＨが塞がれる。ここで、被覆部材３０の先端被覆部３２がコンクリートスラブＣＳの上面から突出しているため、その突出部分が堤防になることでそのモルタルの詰め込み作業が容易になる。このようにして、埋め戻しモルタルＭが貫通孔ＣＨに詰め込まれた段階で、排水立て管２の設置が終了する。
【００３４】
排水立て管２の設置が完了すると、リング状の耐火目地材３７が排水立て管２の上部受け口２ｕの先端面に被せられ、さらに、上部受け口２ｕに排水管継手４０の下部配管４２が挿入接続される。ここで、排水管継手４０には、実施形態１で説明した被覆部材１０が予め装着されている。
なお、コンクリートスラブＣＳの貫通孔ＣＨを塞ぐ前に、排水立て管２の上部受け口２ｕに排水管継手４０の下部配管４２を接続することも可能である。
【００３５】
このように、本実施形態に係る被覆部材３０によっても、排水時における排水立て管２等の振動を効率的に吸収できるようになる。
なお、支持バンド２０のサポート２６をホールインアンカ＆ボルトでコンクリートスラブＣＳに固定する例を示したが、サポート２６を特にコンクリートスラブＣＳに固定しなくても良い。
【００３６】
また、実施形態２において、図７に示すように、排水管継手４０を被覆部材１０で覆う例を示したが、図８に示すように、排水管継手４０を特に被覆部材１０で覆わないように施工することも可能である。この場合、被覆部材３０の上端部が下方から排水管継手４０の横枝管用受け口４４に当接することで受け皿状に変形し、その受け皿状の変形部分（図１１（Ｂ）符号１２ｘ参照）が受け口被覆部のように機能する。このため、排水管継手４０の横枝管用受け口４４は、被覆部材３０の受け皿状の変形部分の働きで、コンクリートスラブＣＳの上面に接触することがない。
【００３７】
また、実施形態１では、コンクリートスラブＣＳの貫通孔ＣＨにロックウールＲを詰めて、その上にモルタルＭを詰める例を示したが、図９に示すように、被覆部材１０の筒状被覆部１２の軸長寸法を貫通孔ＣＨの長さ寸法よりも大きく設定すれば、貫通孔ＣＨ内をモルタルＭのみで埋め戻すことが可能になる。
また、図９（Ｂ）に示すように、排水管継手５０の上部受け口５２を支持バンド６０を利用してコンクリートスラブＣＳに固定するようにすれば、貫通孔ＣＨ内に支持バンド６０を埋め込む必要がなくなる。なお、支持バンド６０と排水管継手５０の上部受け口５２との間には、例えば、ゴム板等の弾性体が挟まれている。
【００３８】
また、図９（Ａ）等に示すように、被覆部材１０を上下に分割して成形すれば、被覆部材１０の形状が複雑にならず、その被覆部材１０の成形用の型構造が簡単になる。なお、排水管継手１の外形が複雑でない場合には、図９（Ｃ）に示すように、被覆部材１５を排水管継手１の外形に合わせて一体成形することも可能である。
【００３９】
また、実施形態１では、横枝管用受け口１ｓが一個の排水管継手１を覆う被覆部材１０を例に説明を行ったが、横枝管用受け口を複数備える排水管継手に対応して、図１０に示すように、受け口被覆部１６ｕ，１７ｕ，１８ｕを複数備える被覆部材１６，１７，１８を成形することも可能である。
また、図１１（Ａ）（Ｂ）に示すように、被覆部材１０に受け口被覆部１４を設けずに、その被覆部材１０の筒状被覆部１２の上端面１２ｕを下方から排水管継手１の横枝管用受け口１ｓに当接させて、その当接部分を受け皿状に変形させるようにしても良い（図１１（Ｂ）二点鎖線）。このようにすれば、前述のように、その受け皿部分１２ｘが受け口被覆部のように機能するようになる。
【００４０】
【発明の効果】
本発明によると、排水時における排水管の振動が被覆部材に吸収されるため、その振動が埋め戻し用モルタル、コンクリートスラブを介して住居内にまで伝わり難くなる。
【図面の簡単な説明】
【図１】本発明の実施形態１に係る被覆部材の全体斜視図である。
【図２】排水管継手の支持バンドの斜視図である。
【図３】被覆部材及び支持バンドを排水管継手に装着した状態を表す側面図である。
【図４】コンクリートスラブの貫通孔に排水管継手をセットした状態を表す側面図である。
【図５】コンクリートスラブの貫通孔に排水管継手をセットした状態を表す背面図である。
【図６】コンクリートスラブの貫通孔に排水管継手をセットした状態を表す正面図である。
【図７】本発明の実施形態２に係る被覆部材の縦断面図及びコンクリートスラブの貫通孔に排水立て管を設置した状態を表す側面図である。
【図８】被覆部材の変更例を表す縦断面図である。
【図９】被覆部材の変更例を表す縦断面図（Ａ図）、側面図（Ｂ図）及び被覆部材の別の変更例を表す側面図（Ｃ図）である。
【図１０】被覆部材の変更例を表す平面図である。
【図１１】被覆部材の変更例を表す縦断面図（Ａ図）、被覆部材の上部斜視図（Ｂ図）である。
【図１２】コンクリートスラブの貫通孔に従来の排水管継手をセットした状態を表す側面図である。
【符号の説明】
ＣＳ    コンクリートスラブ
ＣＨ    貫通孔
Ｍ      貫通孔埋め戻し用モルタル（コンクリートスラブの固定物）
１      排水管継手（排水管）
１ｕ    上部受け口
１ｓ    横枝管用受け口
２      排水立て管（排水管）
２ｕ    上部受け口
１０    被覆部材
１２    筒状被覆部
１４    受け口被覆部
２０    支持バンド（排水管用支持部材、コンクリートスラブの固定物）
３０    被覆部材
６０    支持バンド（排水管用支持部材、コンクリートスラブの固定物）
【図１】
2004169324.tif 000003
【図２】
2004169324.tif 000004
【図３】
2004169324.tif 000005
【図４】
2004169324.tif 000006
【図５】
2004169324.tif 000007
【図６】
2004169324.tif 000008
【図７】
2004169324.tif 000009
【図８】
2004169324.tif 000010
【図９】
2004169324.tif 000011
【図１０】
2004169324.tif 000012
【図１１】
2004169324.tif 000013
【図１２】
2004169324.tif 000014